(57)【要約】      （修正有）【課題】生花の保管・輸送に使用される容器であって、生花に水を供給した状態で保管・輸送が可能であり、転倒しても水が容器から漏れ難く、また、生花を傷めることなく輸送することができる生花用容器を提供すること。【解決手段】容器本体フランジ部４ａと蓋体フランジ部４ｂを嵌合させて、水密状態を形成するようにした生花用容器１であって、蓋体に設けた生花保持部を蓋体フランジ部４ｂより上方側に配置し、生花保持部に生花を保持する水平部２０を蓋体フランジ部４ｂより上方側に設け、水平部２０の一部に直線部２６を設けたことを特徴とする。【選択図】図１
2011230794.tif 000002
【特許請求の範囲】
【請求項１】
開口部に容器本体フランジ部を設けられた容器本体と、この容器本体フランジ部と嵌合して水密状態を形成する蓋体フランジ部を設けられた蓋体と、からなる生花用容器において、
前記容器本体は、上側に開口部を設けられ、この開口部と連接して容器本体の底面部と略平行に容器本体フランジ部が設けられ、垂直断面は上底が下底より長くされた略台形状であり、
前記蓋体は、前記容器本体フランジ部と嵌合する蓋体フランジ部と、この蓋体フランジ部に連接された生花保持部と、から構成され、前記生花保持部は、前記蓋体フランジ部と連接し蓋体の中心軸に向かって傾斜して上方へ延在する外側部と、この外側部と連接し蓋体フランジ部と略平行に蓋の中心軸方向へ延在する上面部と、この上面部と連接し蓋体の中心軸に向かって傾斜して下方へ延在する内側部と、この内側部下端と連接し前記蓋体フランジ部と略平行に蓋体の中心軸方向へ延在する水平部と、から構成され、前記水平部の内周には１つの直線部を設けられ、前記水平部は前記蓋体フランジ部より上方に配置されたことを特徴とする生花用容器。
【請求項２】
蓋体の生花保持部の高さが、容器本体の高さの３分の１ないし４分の１である、請求項１に記載の生花用容器。
【発明の詳細な説明】
【技術分野】
【０００１】
本発明は、生花用容器に関する。さらに詳しくは、生花の保管や輸送のために使用される容器であって、この容器に貯溜された給水用の水を生花が吸収することにより、保管時や輸送時に生じ易い生花の乾燥や萎れを防止すると共に、容器を転倒した時には、上記水が外部に漏れないようにした生花用容器に関する。
【背景技術】
【０００２】
従来、生花を保管や輸送をする際には、大半は収容部の浅いダンボール箱を使用し、生花をこのダンボール箱の底壁に沿わせた状態で収容し輸送する方法をとってきた。この方法では、生花を保管や輸送する間、生花にはまったく給水がされないため、保管中や目的地に輸送するまでの間、生花の鮮度を保つのは困難であった。
【０００３】
生花の保管時や輸送時に使用される容器として、上記欠点を解消する生花用容器が提案されている（特許文献１、特許文献２参照）。提案されている生花用容器によれば、容器に生花への給水用の水を貯溜して、この貯溜水に茎の切断部を浸した状態で生花を収容し、生花を収容した状態の生花用容器をさらにダンボール箱に収容して、保管や輸送をすることができる。この方法によると、生花を起立した状態にしている間は保管中や輸送中であっても生花に給水が可能となり、生花の鮮度を保つことができる。
【０００４】
しかし、特許文献１及び特許文献２に記載されている生花用容器では、水は生花の茎の切断部から吸収されたり、葉面や茎の表面からの蒸発により徐々に減るため、容器に貯溜できる水の量は十分ではなくなることがあった。特に高温時に生花による水の吸収が活発だったり、保管期間が長引いたり、輸送に時間がかかる場合などに問題となった。
【０００５】
また、特許文献１及び特許文献２に記載されている生花用容器では、生花の茎を保持するのは容器本体開口部の下側に配置された生花保持部の下端であったため、生花を起立させた状態で収容した場合、生花を茎の切断部に近い位置（茎の下部）で保持せざるを得なかった。そのため、輸送時に生花の上部側がゆれるのを抑えることができず、生花を容器に収容した状態で容器をさらにダンボール箱に収容した場合、生花の上部側がゆれてダンボール箱の側面と擦れて傷み易く、商品価値を損なうことが多いという問題があった。
【先行技術文献】
【特許文献】
【０００６】
【特許文献１】特許第３７５４６６４号公報
【特許文献２】特許第４２３１０３９号公報
【発明の概要】
【発明が解決しようとする課題】
【０００７】
本発明は上記問題を解消した容器を提供すべく鋭意検討した結果完成されたものであり、その目的は次の通りである。
１．生花用容器が何らかの理由で転倒しても水が漏れ難い生花用容器を提供すること。
２．生花を容器に収容し、生花を起立させた状態で保管や輸送をする時に、生花の給水に十分な量の水を貯溜できる生花用容器を提供すること。
３．生花を容器に収容した状態で、容器をダンボール箱に収容しても、輸送時に生花の上部側とダンボール箱の側面とが擦れ難く、生花の商品価値を損なうことのない生花用容器を提供すること。
【課題を解決するための手段】
【０００８】
本発明は、上記目的を達成するため、開口部に容器本体フランジ部を設けられた容器本体と、この容器本体フランジ部と嵌合して水密状態を形成する蓋体フランジ部を設けられた蓋体と、からなる生花用容器において、前記容器本体は、上側に開口部を設けられ、この開口部と連接して容器本体の底面部と略平行に容器本体フランジ部が設けられ、垂直断面は上底が下底より長くされた略台形状であり、前記蓋体は、前記容器本体フランジ部と嵌合する蓋体フランジ部と、この蓋体フランジ部に連接された生花保持部と、から構成され、前記生花保持部は、前記蓋体フランジ部と連接し蓋体の中心軸に向かって傾斜して上方へ延在する外側部と、この外側部と連接し蓋体フランジ部と略平行に蓋の中心軸方向へ延在する上面部と、この上面部と連接し蓋体の中心軸に向かって傾斜して下方へ延在する内側部と、この内側部下端と連接し前記蓋体フランジ部と略平行に蓋体の中心軸方向へ延在する水平部と、から構成され、前記水平部の内周には１つの直線部を設けられ、前記水平部は前記蓋体フランジ部より上方に配置されたことを特徴とする生花用容器を提供する。
【発明の効果】
【０００９】
本発明は、以下詳細に説明するとおりであり、次のように特別に顕著な効果を奏し、その産業上の利用価値は極めて大である。
１．容器本体と蓋体の２種のフランジを嵌合させた際に水密状態を形成するようにされているので、生花用容器に生花を起立させた状態での保管中や輸送中は勿論、何らかの理由で転倒しても容器本体と蓋体の間から水が漏れないようにすることができる。
２．蓋体には、これに設けた生花保持部を蓋体フランジ部より上方に配置しているので、生花用容器に貯溜できる水の量を大幅に増やすことができ、生花を容器内に起立させた状態で収容し、保管や輸送をする時に生花に十分給水でき、生花の鮮度を保ったまま保管や輸送が可能である。
３．蓋体の生花保持部を蓋体フランジ部より上方に配置しているので、生花は茎の切断部から離れた位置（茎の比較的上部）で保持されて、生花の上部側のゆれが抑えられ、生花の上部側とダンボール箱の側面との擦れ合いを少なくすることができ、生花の商品価値は損なわれ難い。
【図面の簡単な説明】
【００１０】
【図１】本発明に係る生花用容器の一実施形態の斜視図である。
【図２】図１に示した生花用容器の容器本体の平面図である。
【図３】図２のＡ−Ａ線で垂直に切断した状態の上記容器本体の正面図である。
【図４】図１に示した生花用容器の蓋体の平面図である。
【図５】図４のＢ−Ｂ線で垂直に切断した状態の上記蓋体の正面図である。
【図６】図１に示した生花用容器に水を貯溜し、容器を転倒させた状態を示す略図である。
【図７】図１に示した生花用容器に生花を収容した状態でダンボール箱に収容した状態を示す斜視略図である。
【発明を実施するための形態】
【００１１】
以下、本発明に係る生花用容器を図面に基づいて詳細に説明する。図１は、本発明に係る生花用容器の一例の斜視図である。図２は、図１に示した生花用容器１の容器本体２の平面図である。図３は、図２のＡ−Ａ線で垂直に切断した状態の容器本体２の正面図である。生花用容器１は、生花への給水用の水を貯溜する容器本体２と、生花の茎を保持する蓋体３とから構成される。容器本体２と蓋体３は、容器本体フランジ部４ａと蓋体フランジ部４ｂとを嵌合させることによって、水密構造を形成するようにされている。
【００１２】
図２及び図３には、図１に示した本発明に係る生花用容器を構成する容器本体２の構造を詳細に示した図である。容器本体２は、水を貯溜し、生花を起立させた状態で茎の切断部を底面部6に接触させて収容する底面部６と側面部５と容器本体フランジ部４ａとからなり、上側に開口部１２が設けられている。容器本体２の垂直断面の形状は、上底が下底よりも長くされた逆末広がりの台形状に形成される。このような台形とすることにより、容器本体を、合成樹脂を原料として製造する際の型抜きが容易となるばかりでなく、複数個積み重ねた際の容量を小さくすることができ、かつ、生花を収容する際個別に取り出し蓋体３と組み合わせて使用する時も取り扱い易く便利である。
【００１３】
容器本体２の垂直断面は上記の通り略台形状とするが、開口部１２と底面部６の平面視形状が相似形とするのが好ましい。ただし、相似形とすることは必須ではなく、開口部１２を円形、底面部６を多角形とすることができるし、開口部１２を多角形、底面部６を円形とすることもできる。また、容器本体２は、底面部６と容器本体フランジ部４ａの外形の双方を平面視形状を円形とするのは好ましくなく、少なくとも一方はその一部を直線状に形成するのがよい。この直線状の部分が下になる方向に容器１を転倒させると、容器１は側面部５の周方向に回転せず、安定した転倒姿勢を維持できる。
【００１４】
容器本体２の容量は、起立させた状態で収容する生花の種類や大きさによってかわるが、５〜５０リットルの大きさとすることができる。その際の容器本体２は、例えば、上記底面部６の最大径は５〜３０ｃｍ、高さを１０〜５０ｃｍ、容器本体フランジ部４ａの外平面部１０ａの最大径を１０〜６０ｃｍとすることができる。容器本体２の壁面の厚さは、容器本体２の大きさに応じて０．２〜１．０ｍｍの範囲で選ぶことができる。
【００１５】
容器本体フランジ部４ａは、側面部５と連接させて容器本体２の開口部１２に設けられる。容器本体フランジ部４ａは、側面部５の上端の開口部１２に連接し底面部６に対して略平行に外側に延在する段部５ａと、この段部５ａに連接し底面部６に対して垂直より内側に傾斜して上側に延在する内フランジ部７ａと、内フランジ部７ａの上端と連接し底面部６に対して略平行に外側に延在する上フランジ部８ａと、上フランジ部８ａの外周と連接し底面部６に対して垂直より内側に傾斜して下方に延在する外フランジ部９ａと、その外側に底面部６に対して略平行に外側に延在する外平面部１０ａと、から構成される。
【００１６】
外平面部１０ａを外フランジ部９ａに連接して、底面部６に対して略平行に外側に延在させることにより、容器本体フランジ部４ａの強度を向上させることができる。また、外平面部１０ａと、これに対応して蓋体フランジ部４ｂに設けられる外平面部１０ｂとを指で摘んで上下に引き離すことによって、組み合わされた容器本体２と蓋体３を容易に取り外すことができる。前記上フランジ部８ａの幅は一定でなくてもよく、広幅にされた部分に凹部１１を設け、容器本体フランジ部４ａを持ち易くし、かつ、強度、デザイン性などを向上させることができる。
【００１７】
側面部５は、その下端は底面部６の外周と連接し、その上端は容器本体フランジ部４ａと連接して設けられ、上側が末広がりとされている。側面部５には、強度やデザイン性を向上させるため、複数のリブ１３を設けるのが好ましい。また、側面部５から容器内側に大きく突出したリブ１３を設けることもできる。これにより、生花用容器の使用時に容器本体２に貯溜する水の量を減らして、生花を保管、輸送する際の生花用容器全体の重量を軽くすることができる。
【００１８】
底面部６は、側面部５の下端に連接して設けられ、容器が安定して起立するよう全体を平面としてよいが、水を貯溜した容器本体２に生花を収容した際に生花の茎の切断部が底面部６上で滑らないようにするために、滑り止めとして複数の凹凸１５を形成するのが好ましい。
【００１９】
蓋体３は容器本体２と嵌合され、起立させた状態で容器本体２に収容された生花を、茎の比較的上部で保持し、この状態の容器本体２が何らかの理由で転倒した際に水が漏れないようにする。図４及び図５に、本発明に係る生花用容器を構成する蓋体３の一例を示した。図４は図１に示した生花用容器１の蓋体３の平面図であり、図５は図４のＢ−Ｂ線で垂直に切断した状態の蓋体３の正面図である。蓋体３は、蓋体フランジ部４ｂと、この蓋体フランジ部４ｂに連接させて設けた生花保持部１６とによって構成される。蓋体３の大きさは、容器本体2の大きさに応じて変えることができる。蓋体３と容器本体２を嵌合可能とするため、容器本体フランジ部４ａと蓋体フランジ部４ｂの平面視形状は同形とされる。蓋体３の壁面の厚さは、蓋体３の大きさに応じて０．２〜１．０ｍｍの範囲で選ぶことができる。
【００２０】
蓋体フランジ部４ｂは、生花保持部１６の外周に連接し、外側に延在する段部５ｂと、この段部５ｂに連接し段部５ｂに対して垂直より内側に傾斜して上側に延在する内フランジ部７ｂと、内フランジ部７ｂの上端と連接し段部５ｂに対して略平行に外側に延在する上フランジ部８ｂと、上フランジ部８ｂの外周と連接して段部５ｂに対して垂直より内側に傾斜して下方に延在する外フランジ部９ｂと、その外側に段部５ｂに対して略平行に外側に延在する外平面部１０ｂとからなる。
【００２１】
上記構成により容器本体フランジ部４ａと蓋体フランジ部４ｂを嵌合すると、段部５ａと段部５ｂ、内フランジ部７ａと内フランジ部７ｂ、上フランジ部８ａと上フランジ部８ｂ、外フランジ部９ａと外フランジ部９ｂ、外平面部１０ａと外平面部１０ｂのそれぞれを強制的に密着させることができ、密着部に隙間がなくなり、水密構造が形成され、この部分から水が漏れるのを防ぐことができる。
【００２２】
生花保持部１６は、起立させた状態で容器１に収容した生花の上部側を保持し、生花を保管・輸送する際の生花上部側のゆれを抑えるとともに、容器１を転倒させた際に貯留できる水の量を増加させる。生花保持部１６は、段部５ｂと連接し蓋体３の中心軸に向かって傾斜して上方へ延在する外側部１７と、外側部１７と連接し段部５ｂと略平行に蓋体３の中心軸に向かって延在する上面部１９と、上面部１９と連接し蓋体３の中心軸に向かって傾斜しながら下方へ延在する内側部１８と、内側部１８の下端と連接し段部５ｂと略平行に蓋体３の中心軸に向かって延在する水平部２０と、から構成される。上面部１９と段部５ｂを広幅にすると、容器本体2と蓋体３を嵌合し、水を貯溜して転倒させた際の水の収容量を多くすることができるばかりでなく、収容量が少ない場合でも水の漏れを防ぐことができる。
【００２３】
外側部１７の高さと内側部１８の高さは、容器本体2の大きさに応じて変更することができる。例えば、容器本体の高さの２分の１から５分の１とすることができ、内側部１８の高さは、外側部１７の高さの２分の１から５分の１とすることができる。このように、生花保持部１６が蓋体フランジ部４ｂより上方に配置されることにより、生花用容器１が何らかの理由で転倒した際、生花保持部１６の外側部１７と内側部１８の間に生じた空間に水を貯溜することができる。図６は図１に示した生花用容器１に水を貯溜し、容器１を転倒させた状態を示す略図である。
【００２４】
外側部１７及び内側部１８が蓋体３の中心軸に向かって傾斜していることによって、蓋体３を嵩張ることなく重ねることができるため、蓋体３を複数個積み重ねたときの体積を減らすことができ、また使用時には上から一個ずつ抜き取る操作も容易になり、蓋体３を保管や輸送するのに便利である。また、外側部１７及び内側部１８には強度やデザイン性を向上させるためにリブ２１及びリブ２２が設けることができる。
【００２５】
上記生花保持部１６の、水平部２０は、蓋体フランジ部４ｂより上方の位置に配置され、水平部２０の内側は生花を挿すことができる開口部２７とされている。水平部２０は、容器１を転倒させたときに、容器本体内の貯溜水が容器外に漏れるのを防ぐように機能する。水平部２０の内周には、底面６または容器本体フランジ部４ａの外周に設けた直線状の部分が下になるように容器１を転倒させたとき床面と平行かつ下側になる位置に直線部２６が配設され、容器１は、この方向に転倒させたときもっとも多くの水を漏らさずに貯溜できる。
【００２６】
また、生花保持部１６は、生花用容器１に生花が収容された時、生花の茎を保持するように機能する。生花用容器１は、水平部２０が蓋体フランジ部４ｂより上方に配置されていることにより、特許文献１や特許文献２に記載の生花用容器の場合に比べて高い位置で生花を保持することができる。生花を高い位置で保持できることにより、生花の上部側のゆれは格段に抑えられて、生花の上部側がゆれてダンボール箱３０の側面と擦れ、生花が傷むのも防ぐことができる。水平部２０は、生花用容器１に収容された生花の茎と、水平部２０との接触部を傷めないように薄くするのが好ましい。同様の理由で、図４のＣ−Ｃ線垂直断面を波線形状とするのが好ましい。
【００２７】
本発明に係る生花用容器１を使用する際には、容器本体フランジ部４ａと蓋体フランジ部４ｂを嵌合し、容器本体２と蓋体３で水密構造を形成し、開口部２７から生花を収容する。給水用の水は開口部２７または開口部１２から、生花を容器１に収容する前に注ぎ貯溜するのが好ましく、貯溜する水の量は容器本体２の体積の２分の１から５分の１とすることができる。水には、少量の生花の栄養剤を含ませることも出来る。生花を容器１に収容すると、生花の茎の切断部は底面部６に保持され、生花の茎は水平部２０の内周に接し保持される。
【００２８】
上記のようにして、水を貯溜し生花を収容した生花用容器１は、起立させた状態で保管や輸送をすることができる。水を貯溜し生花を収容した生花用容器１を、ダンボール箱３０に収容するのが好ましい。図７は、図１に示した生花用容器１に生花を収容した状態でダンボール箱３０に収容した状態を示す斜視略図である。ダンボール箱３０は大きさに応じて、２個〜３個ずつ紐やテープなどで結束して１個とし、荷物１つあたりの底面積を広くして倒れ難くし、輸送効率を高めることができる。上記結束作業の際、段ボール箱３０を転倒させても容器１は水密状態を形成しているため貯留水は漏れず、効率的に作業ができる。
【００２９】
生花を起立した状態で収容した容器1を収容したダンボール箱３０を、複数個結束する際に、蓋体１の生花保持部１６に設けた直線部２６が床面と平行かつ下側になる転倒方向を確認できるように、ダンボール箱３０の適所に窓を設けるのが好ましい。もちろん、容器１が突発的事由で上記方向以外の方向に転倒したとしても、生花保持部１６が蓋体フランジ部４ｂより上方に設けられているので、生花保持部１６の内側の体積の分、水を多く貯溜でき、水は漏れ難い。
【００３０】
本発明に係る生花用容器１において、容器本体２及び蓋体３は、いずれもプラスチックにより形成されるのが好ましい。プラスチックには、ポリエチレンテレフタレート、ポリブチレンテレフタレートなどのポリエステル類、ポリエチレン、ポリプロピレンなどのポリオレフィン類、ポリスチレン、ABS樹脂などのスチレン系樹脂、ポリ塩化ビニル、アクリル系樹脂ポリカーボネートなどが含まれる。また、容器本体２及び蓋体３はいずれもシート状のプラスチックを差圧成形する方法、またはペレットを射出成形する方法などにより製造することができる。中でもシート状のものを差圧成形する方法が好適である。
【符号の説明】
【００３１】
１：生花用容器、２：容器本体、３：蓋体、４ａ：容器本体フランジ部、４ｂ：蓋体フランジ部、５：側面部、５ａ，ｂ：段部、６：底面部、７ａ，ｂ：内フランジ部、８ａ，ｂ：上フランジ部、９ａ，ｂ：外フランジ部、１０ａ，ｂ：外平面部、１１：凹部、１２，２７：開口部、１３，２１，２２：リブ、１５：凹凸、１６：生花保持部、１７：外側部、１８：内側部、１９：上面部、２０：水平部、２６：直線部、２８：水面、２９：生花、３０：ダンボール箱、３１：床面
【図１】
2011230794.tif 000003
【図２】
2011230794.tif 000004
【図３】
2011230794.tif 000005
【図４】
2011230794.tif 000006
【図５】
2011230794.tif 000007
【図６】
2011230794.tif 000008
【図７】
2011230794.tif 000009